(57)【要約】      （修正有）【課題】足をパルス電流で刺激してマッサージ効果があり、操作しやすく使用に便利な靴を提供する。【解決手段】靴底１０、靴底１０の上に設けた内底２０及び靴底１０に接続した甲革３０を備え、内底２０の上に互いに絶縁された正極２１及び負極２２を設け、靴底１０内にパルス発生器４０を設置し、外部リモコンから送信されて、パルス発生器４０が発生するパルス電流の電圧及び周波数をコントロールするリモコン信号を受信するリモコン信号受信器６０を設け、リモコン信号受信器６０をパルス発生器４０に接続し、パルス発生器４０の正極端４１と正極２１を接続すると共に、負極端４２と負極２２を接続し、人の足が内底２０に接触した時、正極２１と負極２２は足を介して導通される。【選択図】図１
0003142621.tif 000002
【実用新案登録請求の範囲】
【請求項１】
靴底、該靴底の上に設置した内底、及び、前記靴底に接続した甲革を備え、前記内底の上に互いに絶縁された正極及び負極を設け、前記靴底の内部にパルス発生器を設置し、外部リモコンから送信されて、前記パルス発生器が発生するパルス電流の電圧及び周波数をコントロールするリモコン信号を受信するリモコン信号受信器を設け、該リモコン信号受信器を前記パルス発生器に接続し、前記パルス発生器の正極端と前記正極を接続すると共に、負極端と前記負極を接続し、人の足が前記内底に接触した時、前記正極と負極とは足を介して導通されることを特徴とした靴。
【請求項２】
前記パルス発生器は、パルス電流出力ユニット、パルス電流の電圧及び周波数を制御するコントロールユニット、及び、前記パルス発生器全体に電力を供給する電源ユニットを有し、前記パルス電流出力ユニットを前記コントロールユニットに接続すると共に、前記正極端及び負極端を介して前記正極及び負極に接続してある請求項１に記載の靴。
【請求項３】
前記リモコン信号受信器を前記コントロールユニットに接続してある請求項２に記載の靴。
【請求項４】
人体が前記内底に接触しているか否かを検出し、人体が内底に接触していないときは、回路内に蓄積された電気エネルギーを放出する人体感知ユニットを設け、該人体感知ユニットを前記コントロールユニットに接続してある請求項３に記載の靴。
【請求項５】
前記リモコン信号受信器がリモコン信号を受信した時に応答の音声を発する応答ユニットを設け、該応答ユニットを前記コントロールユニットに接続してある請求項３に記載の靴。
【請求項６】
前記リモコン信号受信器が赤外線リモコン受信器である請求項３に記載の靴。
【請求項７】
前記リモコン信号受信器を前記靴底の内部に設けてある請求項１〜６のいずれかに記載の靴。
【請求項８】
前記内底及び甲革の内面に導電繊維を素材とする内張りを設けてある請求項７に記載の靴。
【請求項９】
前記内底の下表面に互いに絶縁された二つの磁性導電物体を固定し、これら磁性導電物体をそれぞれ前記正極及び負極に接続し、前記パルス発生器の正極端及び負極端を、前記磁性導電物体にそれぞれ吸着し、互いに絶縁された二つの導電物体に接続し、前記正極端、一方の導電物体、一方の磁性導電物体、正極、人の足、負極、他方の磁性導電物体、他方の導電物体、及び負極端から成る電流回路を形成する請求項７に記載の靴。
【考案の詳細な説明】
【技術分野】
【０００１】
本考案は、足にパルス電流を流して刺激する靴に関する。
【背景技術】
【０００２】
人の足には多数の経絡とつぼが存在しており、足をマッサージして消化器官、呼吸器官、循環器官、内分泌器官等の各器官の機能を促進し、これによって身体を丈夫にし、病気の治療を行なうことが知られている。
従来、装着することにより足にパルス電流を流して、足を刺激する靴が中国特許出願第２００６１００３３９７１．１号として提案されている。この靴は、靴底、靴底の上に設置した内底、及び靴底に接続した甲革を備え、靴底の内部にパルス発生器を設け、内底の上に互いに絶縁された正極と負極を設け、パルス発生器の正極端と正極を接続すると共に、負極端と負極を接続してある。
そして、この靴を装着すると、内底の上に設けた正極と負極とが足を介して電気的に接続され、パルス発生器で発生したパルス電流が足に流れて、足を刺激しマッサージ効果をあげるようになっている。
【考案の開示】
【考案が解決しようとする課題】
【０００３】
しかし、上記従来の靴は、パルス電流の発生・停止、強度及びモードの選択を全て靴底の表面に設けたボタンを操作することによって行なうので、調整が必要となるたびに腰をかがめてボタン操作を行なうしかなく、老人や身動きが不自由な人にとっては操作が難しかった。
本考案が解決しようとする課題は、足をパルス電流で刺激してマッサージ効果があり、操作しやすく使用に便利な靴を提供することにある。
【課題を解決するための手段】
【０００４】
本考案の靴は、靴底、該靴底の上に設置した内底、及び、前記靴底に接続した甲革を備え、前記内底の上に互いに絶縁された正極及び負極を設け、前記靴底の内部にパルス発生器を設置し、外部リモコンから送信され、前記パルス発生器が発生するパルス電流の電圧及び周波数をコントロールするリモコン信号を受信するリモコン信号受信器を設け、該リモコン信号受信器を前記パルス発生器に接続し、前記パルス発生器の正極端と前記正極を接続すると共に、負極端と前記負極を接続し、人の足が前記内底に接触した時、前記正極と負極とは足を介して導通される。
【０００５】
以下の構成を採用しても良い。
前記パルス発生器は、パルス電流出力ユニット、パルス電流の電圧及び周波数を制御するコントロールユニット、及び、前記パルス発生器全体に電力を供給する電源ユニットを有し、前記パルス電流出力ユニットを前記コントロールユニットに接続すると共に、前記正極端及び負極端を介して前記正極及び負極に接続した構成。
この場合、前記リモコン信号受信器を前記コントロールユニットに接続した構成。
【０００６】
人体が前記内底に接触しているか否かを検出し、人体が内底に接触していないときは、回路内に蓄積された電気エネルギーを放出する人体感知ユニットを設け、該人体感知ユニットを前記コントロールユニットに接続した構成。
前記リモコン信号受信器がリモコン信号を受信した時に応答の音声を発する応答ユニットを設け、該応答ユニットを前記コントロールユニットに接続した構成。
前記リモコン信号受信器が赤外線リモコン受信器である構成。
【０００７】
前記リモコン信号受信器を前記靴底の内部に設けた構成。
前記内底及び甲革の内面に導電繊維を素材とする内張りを設けた構成。
前記内底の下表面に互いに絶縁された二つの磁性導電物体を固定し、これら磁性導電物体をそれぞれ前記正極及び負極に接続し、前記パルス発生器の正極端及び負極端を、前記磁性導電物体にそれぞれ吸着し、互いに絶縁された二つの導電物体に接続し、前記正極端、一方の導電物体、一方の磁性導電物体、正極、人の足、負極、他方の磁性導電物体、他方の導電物体、及び負極端から成る電流回路を形成する構成。
【考案の効果】
【０００８】
本考案によれば、靴底で発生したパルス電流が足を刺激してマッサージ効果があり、しかもリモコンで操作できるので、各機能の調整が簡単で使いやすい。
【考案を実施するための最良の形態】
【０００９】
図１に示すように、本考案の靴は、靴底１０、靴底１０の上に設置した内底２０、靴底１０に接続した甲革２０、及びリモコン信号受信器６０を備える。
内底２０の上には、互いに絶縁された正極２１と負極２２を設けてある。本実施例では、正極２１を前端寄りに置き、負極２２を後端寄りに置いてあるが、逆であってもよいし、外の任意の位置に設けても良い。
また、靴を装着した時、足が正極２１及び負極２２に接触しやすいよう、上面に凸部を形成すると良い。
【００１０】
靴底１０の内部にはパルス電流を発生するパルス発生器４０を設置する。パルス発生器４０の正極端４１は導線５０を介して正極２１に接続されると共に、負極端４２は導線５０を介して負極２２に接続されている。
人の足が正極２１及び負極２２に接触すると、正極２１と負極２２が導通されて、パルス発生器４０で発生したパルス電流が足に流れ、足を刺激してマッサージ効果をあげ、筋肉の疲労を緩和する。
なお、漏電の発生を防ぐために、パルス発生器４０を防水ゴム袋内に収納し、導線５０の接続箇所を全て防水剤でシールすると良い。
【００１１】
リモコン信号受信器６０は、赤外線リモコン受信器等より成り、外部のリモコン送信器が発信したリモコン信号を受信してパルス発生器４０に伝送する。
本実施例では、リモコン信号受信器６０は、靴底１０のかかと部の内部に設けてあるが、リモコン信号を受信しやすい位置であれば他の箇所に設置しても良い。
なお、リモコン信号受信器６０が、赤外線リモコン送信器の送信する赤外線パケットを受信する場合、受信可能な距離は５ｍに達する。
【００１２】
図２に示すように、パルス発生器４０は、パルス電流出力ユニット４３、コントロールユニット４４、及びパルス発生器４０全体に電力を供給する電源ユニット４６を備える。パルス電流出力ユニット４３はコントロールユニット４４に接続され、コントロールユニット４４の信号入力端がリモコン信号受信器６０に接続されている。
リモコン信号受信器６０は、外部のリモコン送信器からの情報を受信し、この情報をコントロールユニット４４に伝送する。コントロールユニット４４は受信した情報を処理し、コントロール信号をパルス電流出力ユニット４３に出力する。パルス電流出力ユニット４３はコントロールユニット４４のコントロール信号によりパルス電流を発生し、ユーザーの足が回路に接続した時に出力する。
【００１３】
パルス発生器４０は、それぞれコントロールユニット４４に接続された人体感知ユニット４７及び応答ユニット４５を有すると良い。人体感知ユニット４７は、人体が内底２０に接触しているか否かを検出して、信号をコントロールユニット４４に入力する。応答ユニット４５は、リモコン信号受信器６０がリモコン信号を受信したときに、コントロールユニット４４が出力した指示により応答の音声を発する。
【００１４】
図３に示すように、靴の回路は、ブースト回路１、パルス出力回路２、人体感知回路３、リモコン信号受信回路４、応答回路５、パイロット回路６、及び、電源供給回路７より成る。
パイロット回路６は、マイクロコントローラＵ１を備え、受信部分の全ての動作を制御する。
【００１５】
ブースト回路１は、インピーダンスＬ１、ＰＮＰトランジスタＱ１、ＮＰＮトランジスタＱ２、コンデンサＣ２，Ｃ３を備える。
マイクロコントローラＵ１の第７ピンが出力するパルス列は励起信号となり、マイクロコントローラＵ１の第７ピンが正方向パルスを出力する時、ＮＰＮトランジスタＱ２がクローズ状態にあり、電流は電源からインピーダンスＬ１を経て流れ、マグネットコアに磁気エネルギーが充満する。
マイクロコントローラＵ１の第７ピンから出力する正方向パルスが停止する時、ＮＰＮトランジスタＱ２は遮断状態にあり、インピーダンスＬ１を流れる正方向電流は突然消滅し、マグネットコア内の磁気エネルギーは急激にリリースし、インピーダンスＬ１が強い逆方向電圧を発生させる。この電圧はＰＮＰトランジスタＱ１によって整流され、コンデンサＣ２，Ｃ３に蓄積される。
【００１６】
パルス出力回路２は、コンデンサＣ２、Ｃ３、ＰＮＰトランジスタＱ４、及び、電極Ｊ１と電極Ｊ２を導通する人体で構成される。マイクロコントローラＵ１が励起パルスを出力する時、電流は人体とＰＮＰトランジスタＱ４とダイオードＤ１を経て流れ、コンデンサＣ２，Ｃ３内のエネルギーの大部分を人体に流す。
人体感知回路３は、抵抗Ｒ９とダイオードＤ１を有し、パルス出力回路２に直列接続されて、人体が内底２０に接触したかどうかを検出する。人体が内底２０に接触していないときは、人体が接触した時に強すぎる電流が流れて感電間隔を与えないよう、ＮＰＮトランジスタＱ３がコンデンサＣ２，Ｃ３に蓄積された電気エネルギーを放出する。
人体感知回路３は、ダイオードＤ１における電圧を検知することにより、パルス出力回路２に電流が流れているかどうか、即ち、人の足が内底２０に接触しているかどうかを感知する。また、人体感知回路３は、人の足がいったん内底２０から離れると、パルス電流の出力強度を最も弱くし、再度足が内底２０に接触すると、出力強度を段階的に設定強度まで強くして、ユーザーの感覚をならす。
【００１７】
リモコン信号受信回路４は、受信集積回路Ｊ３、抵抗Ｒ７，Ｒ８及びコンデンサＣ５を備え、外部のリモコン送信器から送信された赤外線信号等のパケットを受信して、それを電子信号に切り換え、マイクロコントローラＵ１に伝送する。抵抗Ｒ８は、プルアップ抵抗で、受信集積回路Ｊ３の出力信号の信頼性を増す。抵抗Ｒ７とコンデンサＣ５は受信集積回路Ｊ３に安定した電力を供給し、電源となる電池ＢＴ１の電圧が波動しても信号受信に影響しないようにする。
【００１８】
応答回路５は、ブザーＢ１、ＮＰＮトランジスタＱ５及び抵抗Ｒ２を有し、リモコン信号受信回路４が信号を受信したとき、マイクロコントローラＵ１の制御によりブザーＢ１が作動して、応答の音声を発する。
電源供給回路７は、電池ＢＴ１とコンデンサＣ１を有し、パルス発生器４０に電力を供給する。コンデンサＣ１は、ブースト回路１が作動する時、電池ＢＴ１の電圧に波動が生じても、マイクロコントローラＵ１の正常な動作に影響しないようにし、同時に各受信部分の安定性及びマイクロコントローラＵ１の安定性を向上させる。
【００１９】
靴の回路は次のように動作する。
受信集積回路Ｊ３がリモコン信号を受信した時、マイクロコントローラＵ１の第２ピンが信号を出力してＮＰＮトランジスタＱ５を導通させ、ブザーＢ１が音声を発する。
また、受信集積回路Ｊ３がリモコン信号を受信した時、人体感知回路３が人体と内底２０とは接触していないと判断すると、待ち受け状態にあり、電極Ｊ１側に高電圧は発生しない。
【００２０】
一方、人体感知回路３が人体と内底２０との接触を感知すると、マイクロコントローラＵ１は設定モードに従って第７ピンからパルス列を出力し、トランジスタＱ２の導通及び遮断をコントロールし、それによって、コンデンサＣ２，Ｃ３の両端に周期的高電圧を発生させる。
人体が内底２０に接触していると、電極Ｊ１，Ｊ２は人体を通じて導通し、コンデンサＣ２，Ｃ３、人体、トランジスタＱ４、及びダイオードＤ１からなる電流回路が形成される。そして、コンデンサＣ２，Ｃ３の両端に周期的高電圧が発生するため、この電流回路に周期的に電流が流れる。
【００２１】
マイクロコントローラＵ１が出力するパルス列の周波数は、様々なマッサージモード及びマッサージ強度を可能とする。
マッサージモード及びマッサージ強度を変更する場合は、外部リモコンで変更の指示を送信する。この指示は、予め設定してある内から選択する。受信集積回路Ｊ３は、リモコン信号による指示を受信すると、マイクロコントローラＵ１に伝送し、マイクロコントローラＵ１は、指示を受信するとデコードを行ない、次いでデータの割り当て処理、指示の分析を行なってから、指示に従って呼び出し、モード及び強度の記憶を行ない、人体が内底２０に接触したことが検知されてから、設定したモードと強度に従ってパルス波を出力する。
なお、本実施例の靴は、瞬間最高出力電圧が２３０ボルト、高圧出力持続の最長時間が１００マイクロ秒、人体を通過する電流が８０マイクロアンペア以下、消費電力が７０ミリワット以下である。
【００２２】
外部のリモコン送信器は、図４に示すように、キーボードＡ、モニターＢ、情報送信回路Ｃ、リモコンパイロット回路Ｄ、及び、電源供給回路Ｅを備える。
キーボードＡは、押しボタンＳ１〜Ｓ４を有し、ユーザーはこれら押しボタンＳ１〜Ｓ４を単独で、あるいは組み合わせて操作することにより、靴の電源ＯＮ／ＯＦＦ、マッサージモード、マッサージ強度等の各機能を調整し、このアナログ信号をリモコンパイロット回路ＤのコントロールチップＩＣ１に伝送することができる。
【００２３】
モニターＢは、発光ダイオードＤ２〜Ｄ８と、それぞれ発光ダイオードＤ２〜Ｄ８に対応する抵抗Ｒ１，Ｒ２，Ｒ３，Ｒ５，Ｒ６，Ｒ８，Ｒ９とから成る。抵抗Ｒ１，Ｒ２，Ｒ３，Ｒ５，Ｒ６，Ｒ８，Ｒ９は対応する発光ダイオードＤ２〜Ｄ８を保護する。
発光ダイオードＤ２〜Ｄ８は、リモコン内部情報を表示して、ユーザーにリモコン送信器の現状を知らせる。各発光ダイオードＤ２〜Ｄ８を定義し、別々の操作に対応して発光するようにもできる。
ユーザーが押しボタンＳ１〜Ｓ４を押して操作すると、その操作に対応した発行ダイオードが点灯して、操作が成功したことを一目でわかるよう表示する。
【００２４】
リモコンパイロット回路ＤはコントロールチップＩＣ１を有し、リモコン送信器の全ての動作を制御する。コントロールチップＩＣ１はキーボードＡから入力したアナログ信号を受信し、処理してから、デジタル信号に切り換えて出力する。
情報送信回路Ｃは、発光ダイオードＤ１、抵抗Ｒ７、及び、ＮＰＮトランジスタＱ１からなり、コントロールチップＩＣ１から伝送されたデジタル信号を受信して、靴に送信する。
【００２５】
電源供給回路Ｅは、電池ユニットＢＴ１とコンデンサＣ１とを備える。コンデンサＣ１は、外からのノイズがコントロールチップＩＣ１の作動を妨害するのを防ぎ、コントロールチップＩＣ１に安定したリセット電圧を提供する。一般に、電池ユニットＢＴ１はＡＡ乾電池二個とする。
ユーザーがキーボードＡを操作すると、モニターＢはユーザーが行なった操作を表示し、リモコンパイロット回路ＤはキーボードＡからのアナログ信号を受信し、情報処理によってデジタル信号に切り替え、また情報のコーディングとカプセル化を行い、情報送信回路Ｃによってパケットの送信を行なう。
【００２６】
図５は、本考案の他の実施例を示す。
靴の内底２０と靴底１０との間は導線で接続することがあるため、内底２０の掃除と交換に不便である。
そこで、内底２０と靴底１０の間に絶縁材料で作られた副内底１１を配置する。副内底１１の上表面には互いに絶縁された二枚の鉄片１１１を設け、鉄片１１１をそれぞれ導線５０を介して正極端４１及び負極端４２に接続する。
内底２０の下表面には互いに絶縁された二枚のマグネット２０１を固定し、これらマグネット２０１をそれぞれ正極２１及び負極２２と接続する。
【００２７】
正極２１に接続されたマグネット２０１と、正極端４１に接続された鉄片１１１とは対応した位置にあって互いに吸着され、負極２２に接続されたマグネット２０１と、負極端４２に接続された鉄片１１１とは対応した位置にあって互いに吸着される。
この靴を装着すると、パルス発生器４０の正極端４１から鉄片１１及びマグネット２０１を経て正極２１に到り、さらに人の足を経て負極２２、マグネット２０１、及び鉄片１１を順次通り、負極端４２に至る電流回路が形成される。
この実施例に拠れば、内底２０が導線によって靴底１０に接続されないので、内底２０の掃除や交換が容易となる。
【００２８】
なお、鉄片１１１の表面積をマグネット２０１の表面積よりもやや大きくすると、内底２０が靴の内側でずれても、鉄片１１１とマグネット２０１との吸着を維持することができる。
勿論、互いに吸着しあう磁性導電物体と導電物体であれば、鉄片１１１とマグネット２０１に代えて使用することができる。
また、副内底１１を設けず、鉄片１１１を直接靴底１０の上面に固定しても良い。このようにすると、掃除と交換がいっそう容易になる。
さらに、靴の内底２０及び甲革３０の内面に、導電繊維を素材とする内張りを設けると、導電性能が向上してマッサージ効果が高まる。
【図面の簡単な説明】
【００２９】
【図１】本考案の実施例を示す靴の断面図。
【図２】本考案の実施例に係るパルス発生器のブロック図。
【図３】本考案の実施例に係る靴の回路図。
【図４】本考案の実施例に係るリモコン送信器の回路図。
【図５】本考案の他の実施例を示す靴の要部分解側面図。
【符号の説明】
【００３０】
１  ブースト回路
２  パルス出力回路
３  人体感知回路
４  リモコン信号受信回路
５  応答回路
６  パイロット回路
７  電源供給回路
１０  靴底
１１  副内底
１１１  鉄片
２０  内底
２０１  マグネット
２１  正極
２２  負極
３０  甲革
４０  パルス発生器
４１  正極端
４２  負極端
４３  パルス電流出力ユニット
４４  コントロールユニット
４５  応答ユニット
４６  電源ユニット
４７  人体感知ユニット
５０  導線
６０  リモコン信号受信器
Ａ  キーボード
Ｂ  モニター
Ｃ  情報送信回路
Ｄ  リモコンパイロット回路
Ｅ  電源供給回路
【図１】
0003142621.tif 000003
【図２】
0003142621.tif 000004
【図５】
0003142621.tif 000005
【図３】
0003142621.tif 000006
【図４】
0003142621.tif 000007